(57)【特許請求の範囲】
【請求項１】
モーターにより回転可能に形成された回転板と、
上記回転板の下面に複数設けられ、かつ、景品を係止するフックと、
上記回転板が所定の位置に達したときに特定のフックを開放して景品の係止を解除する解除手段とを有する景品払出装置であって、
上記解除手段の作動位置付近に位置し、景品に接触可能な景品検知部と、
所定の場合に上記モーターを所定時間作動させることで上記回転板を所定角度回転させると共に、この回転中に上記景品検知部が景品と接触しない場合には、上記モーターを更に所定時間作動させる制御手段とを有すると共に、
前記フックは、回転板に軸支され、かつ反回転方向が開放するように形成され、
回転している回転板のフックに係止された景品が景品検知部に接触すると、景品はその景品検知部に接触した状態で回転を停止させるものの、回転板は回転を継続するので、前記フックが回転軸を中心に回転して開放部分から景品の係止を解除させることで景品を落下させるように形成したことを特徴とする景品払出装置。
【発明の詳細な説明】
【０００１】
【発明の属する技術分野】
本発明は、ゲーム結果によって、筐体内部に備えたフックに吊り下げられた景品を払い出すようにした景品払出装置、特に、フックに吊り下げられた景品の検知後に払い出しを行う景品払出装置に関する。
【０００２】
【従来の技術】
従来、ゲーム機の筐体内部に回動により開閉可能なフックを複数設けた回転板を設置し、このフックに景品を吊り下げ、所定の遊技結果によって回転板を回転させつつ同フックを開放するすることで、吊り下げられた景品を所定位置で落下させるような景品払出装置が提供されていた。
【０００３】
【発明が解決しようとする課題】
上記のような景品払出装置では、所定の遊技結果によって落下信号が生じ、この落下信号に応じて回転板を所定角度回転させ、この回転に伴って上記フックが開放することとなっていた。しかし、この回転の角度は、景品１個分に相当するものであるため、フックに景品が係止されていない場合には、フックが回転しても当然景品が落下することはない。したがって、景品が払い出されない場合も想定された。
【０００４】
そこで、本発明は、景品を落下させる際に当該景品を検出することで、確実に景品を落下させることを目的とする。
【０００５】
【課題を解決するための手段】
（請求項１）
上記の課題に鑑み、本発明の請求項１記載の発明は、モーター31により回転可能に形成された回転板30と、上記回転板30の下面に複数設けられ、かつ、景品70を係止するフック40と、上記回転板30が所定の位置に達したときに特定のフック40を開放して景品70の係止を解除する解除手段22とを有する景品払出装置20であって、上記解除手段22の作動位置付近に位置し、景品70に接触可能な景品検知部50と、所定の場合に上記モーター31を所定時間作動させることで上記回転板30を所定角度回転させると共に、この回転中に上記景品検知部50が景品70と接触しない場合には、上記モーター31を更に所定時間作動させる制御手段60とを有すると共に、前記フック40は、回転板30に軸支され、かつ反回転方向が開放するように形成され、回転している回転板30のフック40に係止された景品70が景品検知部50に接触すると、景品70はその景品検知部50に接触した状態で回転を停止させるものの、回転板30は回転を継続するので、前記フック40が回転軸を中心に回転して開放部分から景品70の係止を解除させることで景品70を落下させるように形成したことを特徴とする。
【０００６】
なお、上記の「景品」には、景品70をフック40に吊り下げるために景品70に取り付けられている紐、鎖等の吊り下げ具71も含まれる。すなわち、景品検知部50は、景品70自体と接触しても、また、吊り下げ具71と接触しても、景品70を検知することとなっている。
すなわち、景品払い出し信号が発生した場合、制御手段60は、所定時間モーター31を作動させる。この所定時間は、係止されている景品１個分に相当する回転角度を与える時間である。
【０００７】
この回転の間に、フック40は解除手段22により開放される。ここで、当該フック40に景品70が係止していれば、当該景品70は景品検知部50に接触する。そしてその状態で、回転板 30は回転しているものの、景品70は景品検知部50に接触することで回転を停止する。その後、フック40の回転に伴い開放部分からの景品70開放により、同景品70は落下する。また、景品検知部50が同景品70と接触することにより、上記モーター31の回転は、上記所定時間の経過後停止することとなる。
【０００８】
一方、当該フック40に景品70が係止していない場合は、同フック40は解除手段22により開放されるものの、景品検知部50が景品70と接触することはなく、当然、景品70が落下することもない。この場合は、上記制御手段60は、上記所定時間の経過後、更に同所定時間モーター31を作動させることとなる。そして、景品70の係止したフック40が開放されるまで、上記制御手段60は、モーター31の作動を続けることとなる。
【０００９】
【発明の実施の形態】
以下に、本発明の一の実施の形態を図面を参照しつつ説明する。なお、図１から図４までは、本実施の形態に係る景品払出装置におけるフックと景品との位置関係を示す側面図である。また、図５は、本実施の形態に係る景品払出装置を平面図で示したものである。更に、図６は、後述のアームを側面図で示したものである。更に、図７は、本実施の形態に係る景品払出装置の機能を模式的に示したものである。また、図８は、本実施の形態に係る景品払出装置における制御をフローチャートで示したものである。そして、図９は、本実施の形態に係る景品払出装置が使用される遊技機の外観を示す斜視図である。
【００１０】
（遊技機）
本実施の形態に係る景品払出装置20は、図９に示すような遊技機10で使用されるものである。
この遊技機10の筐体11前面には、この遊技機10における遊技部15として、複数個のランプ16と、遊技者が操作する操作ボタン17とが設けられている。これらのランプ16は、点灯位置が所定の速度で移動するように形成されている。そして、遊技者が操作ボタン17を押すことで、点灯位置の移動が止まるが、この止まった位置が所定の当たり位置である場合が、当該遊技における入賞となる。
【００１１】
この入賞があると、筐体11内部に収納された景品70が払い出されることとなっている。具体的には、筐体11と、この筐体11内部に設置され、水平方向に回転する円盤状の回転板30と、この回転板30の下面に設けられるフック40とを備える。個々のフック40には景品70が吊り下げられる。回転板30には、この景品70を、所定の落下位置で落下させるための解除手段22が設けられている。この解除手段22による景品70の落下の詳細は後述する。そして、落下した景品70は、図示しない払出経路を経て払出口12へと至る。
【００１２】
（回転板）
回転板30は、図５の平面図で示すように、筐体11へ固定される取付部21によって吊り下げるようにして保持されている。また、この回転板30は、減速ギア32を介したモーター31により、鉛直方向の回転軸33を中心に回転するように形成されている。更に、この回転板30の下面には、円周方向に沿って複数のフック40が等間隔に設けられている。なお、回転板30は、図５において時計回りに回転することとなっている。そして、以下の説明において「回転方向」とある場合は、この回転板30が回転する方向を意味するものとする。
【００１３】
（フック）
図１に示すように、フック40は、景品70が吊り下げられる係止部41と、後述の解除手段22により押圧される被押圧部42とが一体に形成されている。また、回転板30の径方向の回動軸によって、回転板30に対して回動可能に軸支されている。また、上記被押圧部42は、回転板30の上面から突出している。また、各フック40の回転方向側には、係止部41を収納可能な収納部43も設けられている。なお、前記フック40は、図１，図２に示されているように、反回転方向の係止部先端から先は開放されている。
【００１４】
フック40はまた、図示しないバネによって常に回転方向逆側へ付勢されているため、被押圧部42が押圧されていない状態においては、係止部41の先端は、その回転方向逆側に位置する収納部43に当接することとなっている。そして、図２から４までに示すように、被押圧部42が解除手段22に押圧されると、係止部41は回転方向へ回動し、収納部43へ収納されていくこととなっている。
【００１５】
（解除手段）
解除手段22は、前記取付部21に直接固定され、回転板30の上面側に位置することとなっている。この解除手段22は、上記フック40の被押圧部42と接触可能な位置で固定されている。
（景品検知部）
前記取付部21の、上記解除手段22の設けられている位置付近には、アーム23が固定されている。このアーム23は、図６に示すように、取付部21から外方へ延長する上方部24、回転板30の外側で湾曲して下方へ延長する中間部25、及び回転板30の下方で湾曲して回転板30の内方へ延長する下方部26からなる。そして、このアーム23の下方部26の、回転方向逆側に景品検知部50が設けられている。
【００１６】
この景品検知部50は、図示しないバネによって常に回転方向逆側へ付勢されている。そして、フック40に吊り下げられた景品70又は紐、鎖、リングその他の景品70の吊り下げ具71（以下、「景品等」とする。）によって容易に回転方向へ押圧されるように形成されている。このように景品検知部50が押圧されると、アーム23の下方部26内に設置された図示しないマイクロスイッチが作動することとなる。このマイクロスイッチの作動によって、制御手段60へ信号が送信される。
【００１７】
（制御手段）
図７は、本実施の形態に係る景品払出装置20における制御の概略を示している。
制御手段60とは、遊技機10における遊技の全体を司る手段であって、具体的には、遊技の制御プログラムを実行するＣＰＵがその役割を担うこととなっている。
【００１８】
制御手段60は、前記遊技部15から入賞があった旨の信号を受信すると、回転板30のモーター31へ、所定時間だけ回転する旨の制御信号を送信する。この所定時間とは、回転板30のフック40が一個分回転方向に移動するのに要する時間をいう。以下、この所定時間を「単位時間」と称し、回転板30がこの単位時間の間に回転する角度を「単位角度」と称することとする。
【００１９】
モーター31は、上記制御信号を受信すると、単位時間だけ回転し、これにより回転板30は単位角度だけ回転する。この回転の間に、フック40に吊り下げられた景品等が景品検知部50に接触すると、同景品検知部50のマイクロスイッチが作動し、制御手段60へ検知信号が送信される。
この制御手段60による回転板30の制御の概略は、図８のフローチャートで示される。
【００２０】
まず、S1に示す段階において、前記遊技部15において遊技が行われる。そして、S2へ進む。
S2に示す段階においては、遊技の結果、入賞があったか否かが判定される。入賞がなかった場合は、処理を終了する。一方、入賞があった場合は、S3へ進む。
S3に示す段階においては、制御手段60から発信された制御信号により、回転板30が単位角度だけ回転する。そして、S4へ進む。
【００２１】
S4に示す段階においては、S3に示す段階における回転板30の回転の間に、景品検知部50による検知信号を、制御手段60が認識したか否かが判定される。ここで、認識している場合には、処理を終了する。一方、認識していない場合には、再びS3に示す段階へ戻り、再度回転板30の回転が行われることとなり、再びS4に示す段階における判定が行われる。
【００２２】
（動作）
次に、図１から図４までを適宜参照しつつ、本実施の形態における景品70の払い出し動作について説明する。
まず、回転板30が静止してる状態では、景品70が吊り下げ具71でフック40の係止部41に吊り下げられている（図１）。
【００２３】
ここで、回転板30の回転が開始されると、フック40の被押圧部42が解除手段22により押圧されることにより、係止部41が回転方向へ移動し、収納部43内へ収納され始める。これによって、係止部41の先端と、その回転方向逆側に位置する収納部43との間に間隙が生ずる。更に、景品70の吊り下げ具71が、景品検知部50と接触する（図２）。
【００２４】
そして、係止部41が収納部43内へ完全に収納されると、当該収納部43の回転方向逆側の面によって景品70が押し出されることで、景品70は支持を失い落下する（図３）。
この後、回転板30は更に回転を続け、被押圧部42への解除手段22の押圧が解けると、図示しないバネの復元力によって、係止部41は元の位置へ復帰する。また、景品70が落下すると、景品検知部50も図示しないバネの復元力によって元の位置に復帰する。このとき、景品70と景品検知部50との接触による検知信号を制御手段60は認識しているため、再び図１に示す状態に至って回転は停止する。
【００２５】
なお、図４に示すように係止部41に景品70が吊り下げられていない場合は、景品検知部50による景品70の検知は当然行われない。この場合は、更に単位角度だけ回転板30の回転が行われ、次の係止部41の景品70の落下が確実に実行されるようになっている。
【００２６】
【発明の効果】
本発明は上記のように構成されているので、以下のような効果を奏する。
すなわち、景品を落下させる際に当該景品を検出することで、確実に景品を落下させることが可能となる。
【図面の簡単な説明】
【図１】  本発明の一の実施の形態に係る景品払出装置において、景品の吊り下げの状態を示す側面図である。
【図２】  本発明の一の実施の形態に係る景品払出装置において、景品の払い出し動作を示す側面図である。
【図３】  本発明の一の実施の形態に係る景品払出装置において、景品の払い出し動作を示す側面図である。
【図４】  本発明の一の実施の形態に係る景品払出装置において、景品の払い出し動作を示す側面図である。
【図５】  本発明の一の実施の形態に係る景品払出装置を示す平面図である。
【図６】  本発明の一の実施の形態に係る景品払出装置におけるアームを示す側面図である。
【図７】  本発明の一の実施の形態に係る景品払出装置における機能ブロック図である。
【図８】  本発明の一の実施の形態に係る景品払出装置における回転板の制御を表すフローチャートである。
【図９】  本発明に係る景品払出装置が使用される遊技機の一例を示す斜視図である。
【符号の説明】
10  遊技機
11  筐体                  12  払出口
15  遊技部
16  ランプ                17  操作ボタン
20  景品払出装置
21  取付部                22  解除手段
23  アーム                24  上方部
25  中間部                26  下方部
30  回転板
31  モーター              32  減速ギア
33  回転軸
40  フック
41  係止部                42  被押圧部
43  収納部
50  景品検知部
60  制御手段
70  景品
71  吊り下げ具
【図１】
0003710962.tif 000002
【図２】
0003710962.tif 000003
【図３】
0003710962.tif 000004
【図４】
0003710962.tif 000005
【図５】
0003710962.tif 000006
【図６】
0003710962.tif 000007
【図７】
0003710962.tif 000008
【図８】
0003710962.tif 000009
【図９】
0003710962.tif 000010